【手続補正書】
【提出日】平成20年5月12日(2008.5.12)
【手続補正１】
【補正対象書類名】特許請求の範囲
【補正対象項目名】全文
【補正方法】変更
【補正の内容】
【特許請求の範囲】
【請求項１】
装置または物体を、ヒト被験体中の標的化された位置に送達するためのデバイスであって、該デバイスは、以下：
ａ．第一の通路が通っている本体；
ｂ．第一の端部および第二の端部を有する細長管であって、該第一の端部は、該本体に対して近位にあり、そして該本体に固定されており、そして該第二の端部は、該本体より遠位にあり、該管は、該第一の通路と整列した第二の通路を規定している、細長管；
ｃ．第一の端部および第二の端部を有するケーブルであって、該ケーブルは、該第一の通路と該第二の通路との内部で同時に、スライド可能に係合する、ケーブル；
ｄ．ハンドルであって、該ハンドルは、該ケーブルの第一の端部に固定されており、そして該本体に対して可動である、ハンドル；ならびに
ｅ．該管の第二の端部に接続された保持ユニットであって、該ユニットは、該標的化された解放位置への送達の間に、物体を保持するために充分な保持力を適用する、保持ユニット、
を備え、
ｆ．該ハンドルの、該保持ユニットに対する方向での操作は、該ケーブルの軸方向での動きを生じ、これによって、該ケーブルの第二の端部は、該物体を該保持ユニットから排出するために充分な力を、該物体に対して発生させる、
デバイス。
【請求項２】
前記保持ユニットが、前記物体を内部に保持するための大きさにされたシェルを備える、請求項１に記載のデバイス。
【請求項３】
前記保持ユニットが、開口部を規定する外側表面を有するシェルを備え、該開口部を通しての、前記物体の手動でのプレスばめを可能にする、請求項１に記載のデバイス。
【請求項４】
前記保持ユニットが、粘性流体を収容するシェルを備える、請求項１に記載のデバイス。
【請求項５】
前記保持ユニットが、吸引源と連絡する吸引ポートを有するカップを備える、請求項１に記載のデバイス。
【請求項６】
前記保持ユニットが、前記物体を内部に保持するための大きさにされた覆いを備え、該覆いは、エラストマー構成要素から構築されている、請求項１に記載のデバイス。
【請求項７】
前記保持ユニットは、前記物体を内部に保持するための大きさにされたシェルを備え、該シェルには、少なくとも１つのスロットが規定されており、その結果、該シェルは、該物体を保持するための力を提供する、請求項１に記載のデバイス。
【請求項８】
前記物体が、画像捕捉カプセルである、請求項１に記載のデバイス。
【請求項９】
前記保持ユニットが、複数の長手軸方向スロットを有するシェルであり、そして弛緩位置において、前記物体より小さい体積の空洞を規定する、請求項１に記載のデバイス。
【請求項１０】
前記本体が、ハンドルストップを備え、該ハンドルストップは、前記ケーブルの遠位方向での軸方向移動を制限する、請求項１に記載のデバイス。
【請求項１１】
画像捕捉カプセルをヒト被験体内の標的化された解放位置に送達するためのデバイスであって、該デバイスは、以下：
ａ．本体；
ｂ．ハンドルであって、該本体に設置されており、そして該本体に対して可動である、ハンドル；
ｃ．第一の端部および第二の端部を有する管であって、該第一の端部は、該本体に固定されており、そして該管は、通路を規定しており、そして該第二の端部において開口している、管；
ｄ．第一の端部および第二の端部を有するケーブルであって、該第一の端部は、該ハンドルに固定されており、そして該第二の端部は、該本体から離れており、該ケーブルは、実質的に、該管の通路を通って延びている、ケーブル；ならびに
ｅ．保持ユニットであって、該保持ユニットは、該管の第二の端部に接続されており、そして該カプセルを保持するための大きさにされており、該ユニットは、該標的化された解放位置への内視鏡送達の間に、該カプセルを保持するために充分な保持力を適用する、保持ユニット、
を備え、
ｆ．該ハンドルの、該保持ユニットに対する方向での操作は、該保持力より大きい力を該カプセルに対して発生させる、デバイス。
【請求項１２】
前記保持ユニットは、透明な基部、および開口遠位端を有する円筒形シェルを備える、請求項１１に記載のデバイス。
【請求項１３】
前記保持ユニットは、遠位端開口部を有するシェルを備え、該遠位端開口部は、該遠位端開口部を通しての該カプセルの手動でのプレスばめを可能にするために充分な大きさである、請求項１１に記載のデバイス。
【請求項１４】
前記保持ユニットは、複数の長手軸方向スロットを有するシェルを備える、請求項１１に記載のデバイス。
【請求項１５】
前記ケーブルは、ストップ部材を備え、該ストップ部材は、前記保持ユニットに向かう方向での前記ケーブルの第二の端部の移動を制限するためのものである、請求項１１に記載のデバイス。
【請求項１６】
前記ケーブルの第二の端部は、ボール型の先端を備える、請求項１１に記載のデバイス。
【請求項１７】
前記保持ユニットは、周囲の半分にわたるオリフィスを有するシェルを備え、該オリフィスは、該オリフィスを通る前記カプセルの手動でのプレスばめを可能にするために充分な大きさである、請求項１１に記載のデバイス。
【請求項１８】
前記保持ユニットは、スロット付きのテーパ状の遠位端を有する弾丸型のシェルを備える、請求項１１に記載のデバイス。
【請求項１９】
前記保持ユニットは、ヒンジ付きの遠位端を有するシェルを備える、請求項１１に記載のデバイス。
【請求項２０】
前記保持ユニットは、延長舌部を備える遠位端部分を有するシェルを備える、請求項１１に記載のデバイス。
【請求項２１】
前記保持ユニットは、外側表面チャネルを有するシェルを備え、該チャネルにガイドワイヤが通され得る、請求項１１に記載のデバイス。
【請求項２２】
前記本体が、ハンドルストップを備え、該ハンドルストップは、前記ケーブルの遠位方向での軸方向移動を制限する、請求項１１に記載のデバイス。
【請求項２３】
前記保持ユニットが、吸引源と連絡する吸引ポートを有するカップを備える、請求項１１に記載のデバイス。
【請求項２４】
画像捕捉カプセルを、ヒト被験体内の標的化された位置に送達するためのシステムであって、該システムは、
ａ．送達デバイスであって、該送達デバイスは、以下：
ｉ．本体；
ｉｉ．ハンドルであって、該本体に設置され、そして該本体に対して可動である、ハンドル；
ｉｉｉ．第一の端部および第二の端部を有する管であって、該第一の端部は、該本体に固定されており、該管は、通路を規定している、管；
ｉｖ．第一の端部および第二の端部を有するケーブルであって、該第一の端部は、該ハンドルに固定されており、そして該第二の端部は、該本体から離れており、該ケーブルは、実質的に、該管を通って延びる、ケーブル；ならびに
ｖ．該管の第二の端部に接続された保持ユニットであって、該ユニットは、該標的化された解放位置への送達の間に、該カプセルを保持するために充分な力を適用する、保持ユニット、
を備える、送達デバイス；
ｂ．該保持ユニットの内部に装填されるカプセル；ならびに
ｃ．該カプセルが該所望の位置に隣接するまで、該デバイスの遠位端を移動させるための手段、
を備え；
該ハンドルは、該保持ユニットに対する方向で、該ハンドルを操作されて該カプセルを該保持ユニットから排出する、システム。
【請求項２５】
前記管と前記ケーブルとが、同時に、内視鏡の器具チャネルに通されるように構成されており；そして
前記保持ユニットが該管に接続されるように構成されている、
を包含する、請求項２４に記載のシステム。
【請求項２６】
空の保持ユニットの目視確認によって、該保持ユニットからの前記カプセルの排出が確認される、請求項２４に記載のシステム。
【請求項２７】
空の保持ユニットの目視確認によって、該保持ユニットからの前記カプセルの排出を確認され、該保持ユニットは、透明な基部を備える、請求項２４に記載のシステム。
【請求項２８】
装置をヒト被験体内の標的化された解放位置に送達するためのデバイスであって、該デバイスは、以下：
ａ．細長本体；
ｂ．ハンドルであって、該本体に設置され、そして該本体に対してスライド可能である、ハンドル；
ｃ．近位端および遠位端を有する管であって、該近位端は、該本体に固定されており、該管は、該近位端から該遠位端までの通路を規定している、管；
ｄ．近位端および遠位端を有するケーブルであって、該近位端は、該ハンドルに固定されており、該ケーブルは、実質的に、該管の通路を通って延びる、ケーブル；ならびに
ｅ．保持ユニットであって、該保持ユニットは、該管の近位端に接続されており、そして該カプセルを保持するための大きさにされたシェルを備え、該シェルは、遠位端開口部を有し、該開口部は、該開口部を通る該装置の手動でのプレスばめを可能にする、保持ユニット、
を備える、デバイス。
【請求項２９】
前記保持ユニットは、半透明な基部、および輪郭付き開口遠位端を有する円筒形シェルを備える、請求項２８に記載のデバイス。
【請求項３０】
前記保持ユニットが、透明な基部、および輪郭付き開口遠位端を有する円筒形シェルを備える、請求項２８に記載のデバイス。
【請求項３１】
前記ケーブルの遠位端が、ボール先端を備える、請求項２８に記載のデバイス。
【請求項３２】
前記ケーブルが、前記保持ユニットに向かう方向での前記ケーブルの第二の端部の動きを制限するための肩部を備える、請求項２８に記載のデバイス。
【請求項３３】
前記保持ユニットが、螺合接続によって、前記管の近位端に取り外し可能に接続されている、請求項２８に記載のデバイス。
【請求項３４】
前記保持ユニットが、吸引源と連絡する吸引ポートを有するカップを備える、請求項２８に記載のデバイス。